(57)【要約】【課題】検知信号をコントローラに確実に送信できて、コントローラを警戒状態にした直後の送信禁止時間が短く抑えられると共に、コントローラの解除中に多数のセンサ入力が発生しても送信回数を少なくして電池の消耗を低減させるワイヤレスセンサを提供する。【解決手段】コントローラへの検知信号の送信を許可する送信許可タイマ及び送信を禁止する送信禁止タイマを備え、センサ入力が発生した場合に検知信号を送信して送信許可タイマを起動させると共に、送信許可タイマの設定時間が経過する前に次のセンサ入力が発生した場合に、検知信号を送信して送信禁止タイマを起動させ該送信禁止タイマの設定時間が経過するまで検知信号の送信を禁止することを特徴とする。前記送信禁止タイマの起動中にセンサ入力が発生した場合には、検知信号は送信せず当該タイマに一定時間を加算する。【選択図】  図３
2008123146.tif 000002
【特許請求の範囲】
【請求項１】
コントローラへの検知信号の送信を許可する送信許可タイマ及び送信を禁止する送信禁止タイマを備え、
センサ入力が発生した場合に検知信号を送信して前記送信許可タイマを起動させると共に、前記送信許可タイマの設定時間が経過する前に次のセンサ入力が発生した場合に、検知信号を送信して前記送信禁止タイマを起動させ該送信禁止タイマの設定時間が経過するまで検知信号の送信を禁止することを特徴とするワイヤレスセンサ。
【請求項２】
前記送信禁止タイマの起動中にセンサ入力が発生した場合は、検知信号は送信せず当該タイマに一定時間を加算することを特徴とする請求項１に記載のワイヤレスセンサ。
【請求項３】
前記送信禁止タイマに上限値を設けたことを特徴とする請求項１または２に記載のワイヤレスセンサ。
【発明の詳細な説明】
【技術分野】
【０００１】
本発明は、電波を用いて検知信号を送信するワイヤレスの防犯システムの端末機器として使用可能なワイヤレスセンサに係わり、特に、該センサで使用される電池の消耗を最低限に抑えることが可能なワイヤレスセンサに関する。
【背景技術】
【０００２】
従来、ホームセキュリティシステム等の防犯システムにおいては、コントローラに接続される端末機器として複数のワイヤレスセンサが使用され、この各ワイヤレスセンサには該センサを作動させるための電池が内蔵されている。そして、このようなワイヤレスセンサの場合、電池の消耗をできるだけ少なくするために、例えば図５にタイミングチャートで検知信号を送信する送信規制機能が設けられている。
【０００３】
この送信規制機能は、通常状態において（ａ）に示すようにセンサ入力が発生した場合に、（ｂ）に示すように検知信号をコントローラに送信すると同時に、（ｃ）に示すようにタイマを起動させて予め設定した時間Ｔのカウントダウンが開始される。そして、このタイマのカウントダウン中に次のセンサ入力が発生しても検知信号は送信せず、また、時間Ｔが経過してカウントオーバーすると通常状態に戻り次の検知信号の発生を待つようになっている。また、時間Ｔは、センサ入力が発生しても残り時間が変化せず、予め設定した時間Ｔが常にカウントされるようになっている。なお、ワイヤレスセンサを利用して警戒／解除を行い、その解除中に信号を送信しないようにして、電池の消耗を押さえるようした文献としては、例えば特許文献１が知られている。
【特許文献１】特開２００５−１３５１６２号公報
【発明の開示】
【発明が解決しようとする課題】
【０００４】
しかしながら、このようなワイヤレスセンサにあっては、一度検知信号を送信すると予め設定した時間Ｔが経過しない間、次の検知信号を送信しないため、コントローラが何らかの理由で検知信号を受信できない状態の場合等に、侵入者を検知できない虞がある。また、例えば人の出入りが激しい警戒エリアのようにセンサ入力が間断なく発生する状況においては、時間Ｔの間隔で検知信号を送信することから、例えば時間Ｔを長く設定した場合は、検知信号を送信してコントローラを警戒状態にした直後のセンサ入力が反応しない時間が長くなって侵入者を検知できない可能性が高くなり、また逆に、時間Ｔを短く設定した場合は、検知信号を送信する回数が増加して電池の消耗が激しくなり易い。また、特許文献１のワイヤレスセンサの場合は、解除中の送信禁止により複数のワイヤレスセンサのうち個々のワイヤレスセンサの電池の消耗はある程度押さえることができるものの、各ワイヤレスセンサの警戒／解除の情報を互いに得ることができないため、各ワイヤレスセンサの電池の消耗を十分に抑えることが難しい。
【０００５】
本発明は、このような事情に鑑みてなされたもので、その目的は、検知信号をコントローラに確実に送信できて、コントローラを警戒状態にした直後の送信禁止時間が短く抑えられると共に、コントローラの解除中に多数のセンサ入力が発生しても送信回数を少なくして電池の消耗を低減させるワイヤレスセンサを提供することにある。
【課題を解決するための手段】
【０００６】
かかる目的を達成すべく、本発明のうち請求項１に記載の発明は、コントローラへの検知信号の送信を許可する送信許可タイマ及び送信を禁止する送信禁止タイマを備え、センサ入力が発生した場合に検知信号を送信して前記送信許可タイマを起動させると共に、前記送信許可タイマの設定時間が経過する前に次のセンサ入力が発生した場合に、検知信号を送信して前記送信禁止タイマを起動させ該送信禁止タイマの設定時間が経過するまで検知信号の送信を禁止することを特徴とする。
【０００７】
また、請求項２に記載の発明は、前記送信禁止タイマの起動中にセンサ入力が発生した場合に、検知信号は送信せず当該タイマに一定時間を加算することを特徴とし、請求項３に記載の発明は、前記送信禁止タイマに上限値を設けたことを特徴とする。
【発明の効果】
【０００８】
本発明のうち請求項１に記載の発明によれば、センサ入力が発生した場合に検知信号を送信して送信許可タイマを起動させると共に、送信許可タイマの設定時間が経過する前に次のセンサ入力が発生した場合に、検知信号を送信して送信禁止タイマを起動させ該タイマの設定時間が経過するまで検知信号の送信を禁止するため、送信許可タイマにより２回目までのセンサ入力に対しては送信を許可できて、検知信号をコントローラに確実に送信できると共に、侵入者の検知精度を高めることができ、かつコントローラの解除中に多数のセンサ入力が発生しても送信回数を少なくして電池の消耗を低減させその寿命を延長させることができる。
【０００９】
また、請求項２に記載の発明によれば、請求項１に記載の発明の効果に加え、送信禁止タイマの起動中にセンサ入力が発生した場合に、検知信号は送信せず当該タイマに一定時間を加算するため、センサ入力が間断なく発生する状況では、送信禁止タイマがその都度延長されて検知信号の送信回数を確実に減らすことができ、また、センサ入力が稀にしか発生しない状況では、検知信号をその都度確実に送信することができて、侵入者の検知精度を一層高めることができる。
【００１０】
さらに、請求項３に記載の発明によれば、請求項１または２に記載の発明の効果に加え、送信禁止タイマに上限値が設けられているため、設定した上限値により、検知信号でコントローラを警戒状態にした後の送信禁止を長時間継続すること等がなくなり、侵入者の検知精度をより一層高めることができる。
【発明を実施するための最良の形態】
【００１１】
以下、本発明の実施の形態を図面に基づいて詳細に説明する。
図１〜図４は、本発明に係わるワイヤレスセンサの一実施形態を示し、図１がそのブロック図、図２がその運用形態の説明図、図３が動作を説明するためのフローチャート、図４がそのタイミングチャートである。
【００１２】
図１に示すように、ワイヤレスセンサ１は、マイコンからなる制御手段２を有し、この制御手段２の入力側には、センサ部３がセンサ信号処理手段４を介して接続され、制御手段２の出力側には、アンテナ５ａを有する無線送信ユニット５が接続されている。また、制御手段２及び無線送信ユニット５等には電池６が接続されている。なお、制御手段２には、後述する時間Ｔａ１、Ｔｂ１、Ｔｂ２、Ｔｂ３等を設定可能な送信許可タイマ及び送信禁止タイマが設けられると共に、後述するプログラム等を記憶する記憶部や演算処理部（いずれも図示せず）等が設けられている。
【００１３】
そして、このワイヤレスセンサ１は、図２に示すようにして運用される。すなわち、例えば複数個（図では４個）のワイヤレスセンサ１が各警戒エリアに設置されて、その無線信号が無線送信ユニット５のアンテナ５ａからコントローラ７のアンテナ８に送信される。また、コントローラ７には、その出力側にベル９等が接続されると共に音声またはデータの通報回線１０が接続されている。そして、コントローラ７は、警戒状態の場合にワイヤレスセンサ１から検知信号を受信すると、ベル９等を鳴動させて侵入者を威嚇したり、電話回線等の通報回線１０を介してその情報を音声またはデータで通報するようになっている。
【００１４】
次に、前記ワイヤレスセンサ１の動作の一例を図３のフローチャート及び図４のタイミングチャートに基づいて説明する。図３に示すように、ワイヤレスセンサ１の電源が投入（Ｓ１０）されると、各ワイヤレスセンサ１が検知可能状態に設定されて通常状態となり、この通常状態で１回目の検知待機（Ｓ１１）に移る。このステップＳ１１で検知待機が開始されると、センサ入力が有りか否かが判断（Ｓ１２）され、この判断Ｓ１２で「ＹＥＳ」の場合、すなわちワイヤレスセンサ１が人体（侵入者等）を検知した場合は、人体検知信号電波をコントローラ７に送信（Ｓ１３）して、制御手段２内の送信許可タイマ（図３ではタイマａ）が起動（Ｓ１４）する。一方、判断Ｓ１２で「ＮＯ」の場合、すなわちワイヤレスセンサ１が人体を検知しない場合は、検知待機Ｓ１１に戻る。
【００１５】
そして、ステップＳ１４で送信許可タイマが起動すると、２回目の検知待機（Ｓ１５）に移り、センサ入力が有りか否かが判断（Ｓ１６）され、この判断Ｓ１６で「ＹＥＳ」の場合は、人体検知信号電波をコントローラ７に送信（Ｓ１７）し、制御手段２内の送信禁止タイマ（図３ではタイマｂ）が起動（Ｓ１８）する。一方、判断Ｓ１６で「ＮＯ」の場合は、送信許可タイマがタイムオーバーか否かが判断（Ｓ１９）され、この判断Ｓ１９で「ＹＥＳ」の場合、すなわち１回目の検知信号が発生してからセンサ入力のない状態が送信許可タイマの時間Ｔａ１をオーバーした場合は、１回目の検知待機Ｓ１１に戻る。一方、判断Ｓ１９で「ＮＯ」の場合、すなわち１回目の検知信号が発生してからセンサ入力がない状態が送信許可タイマの時間Ｔａ１をオーバーしていない場合は、２回目の検知待機Ｓ１５に戻る。
【００１６】
前記ステップＳ１８で送信禁止タイマが起動すると、送信禁止期間（Ｓ２０）に移り、センサ入力が有りか否かが判断（Ｓ２１）され、この判断Ｓ２１で「ＹＥＳ」の場合は、送信禁止タイマに時間Ｔｂ２を加算する処理（Ｓ２２）を行い、送信禁止期間Ｓ２０に戻る。この時の加算処理は、送信禁止タイマに予め設定した所定時間Ｔｂ２を加算する処理であり、この場合、所定時間Ｔｂ２を加算することで予め設定した最大値（上限値）Ｔｂ３を超える場合には、送信禁止タイマの時間を最大値である時間Ｔｂ３に設定するようになっている。
【００１７】
一方、判断Ｓ２１で「ＮＯ」の場合は、送信禁止タイマがタイムオーバーか否かが判断（Ｓ２３）され、この判断Ｓ２３で「ＹＥＳ」の場合、すなわち送信禁止タイマが起動してからセンサ入力のない状態が送信禁止タイマの時間Ｔｂ２をオーバーした場合は、１回目の検知待機Ｓ１１に戻り、判断Ｓ２１で「ＮＯ」の場合、すなわち送信禁止タイマが起動してからセンサ入力のない状態が送信禁止タイマの時間Ｔｂ２をオーバーしていない場合は、送信禁止期間Ｓ２０に戻る。
【００１８】
以上のステップをタイミングチャートで示したのが図４である。この図４の「Ａ」が検知信号の送信時期を示し、「Ｂ」が送信許可タイマの起動時期を示し、「Ｃ」が送信禁止タイマの起動時期を示している。また、図４の「Ｄ」は、前記ステップＳ２２の加算処理を行う時期を示している。この図４からも明らかなように、センサ入力が継続して発生する状況では、その間検知信号を送信しない場合があり、この場合、最後のセンサ入力から通常状態に戻るまでの時間Ｔは、Ｔｂ１（または時間Ｔｂ２）とＴｂ３の間の時間となる。
【００１９】
つまり、以上の動作においては、通常状態から２回目までの信号は送信禁止の対象とならないことから、コントローラ７で検知信号を受信できない確率が極めて低くなり、また、センサ入力が間断なく発生する状況においては、送信禁止タイマがカウントオーバーする機会が少なくなることから、電波送信回数を大幅に減少させることができる。また、センサ入力が稀にしか発生しない状況においては、送信禁止タイマが起動する機会が極めて少なくなり、仮に起動したとしても送信禁止タイマの時間が最大値Ｔｂ３以上に大きくならないことから、「センサ入力信号がある度に検知信号を出力する」という防犯システム本来の姿に極めて近い状態で運用が可能となる。
【００２０】
このように、上記実施形態のワイヤレスセンサ１にあっては、センサ入力が発生した場合に検知信号を送信して送信許可タイマを起動させると共に、送信許可タイマの設定時間が経過する前に次のセンサ入力が発生した場合に、検知信号を送信して送信禁止タイマを起動させ該タイマの時間Ｔｂ１が経過するまで検知信号の送信を禁止するため、送信許可タイマにより２回目までのセンサ入力に対しては送信を許可できて、検知信号をコントローラに確実に送信できる。また同時に、侵入者の検知精度を高めることができると共に、コントローラ７の解除中に多数のセンサ入力が発生しても送信回数を少なくして電池６の消耗を低減させその寿命を延長させることができる。
【００２１】
また、送信禁止タイマの起動中にセンサ入力が発生した場合に、検知信号は送信せず当該タイマに一定の所定時間Ｔｂ２を加算するため、センサ入力が間断なく発生する状況では、送信禁止タイマのタイマ時間がその都度延長されて検知信号の送信回数を確実に減らすことができて、電池６の寿命を一層延長させることができると共に、センサ入力が稀にしか発生しない状況では、検知信号をその都度確実に送信することができて、人体の検知精度を一層高めることができる。
【００２２】
特に、送信禁止タイマに上限値Ｔｂ３が設けられているため、設定した上限値Ｔｂ３により、検知信号でコントローラ７を警戒状態にした後の送信禁止を長時間継続することがなくなり、侵入者の検知精度をより一層高めることができる。また、送信許可タイマと送信禁止タイマとして制御手段２内の各タイマを使用できるため、構成を簡略化させると共に、各タイマの時間設定等を容易に行うことができる等、構成簡易にして高い検知精度を有するワイヤレスセンサ１を提供することが可能となる。
【００２３】
なお、上記実施形態においては、ワイヤレスセンサ１の制御手段２に送信許可タイマと送信禁止タイマを設けたが、本発明はこの構成に限定されず、別途専用のタイマを設ける等、適宜に変更することができるし、上記したフローチャートやタイミングチャートの動作、ワイヤレスセンサのブロック構成図、各ワイヤレスセンサの動作等も一例であって、本発明に係わる各発明の要旨を逸脱しない範囲において適宜に変更することができる。
【産業上の利用可能性】
【００２４】
本発明は、ホームセキュリティシステム等の防犯システム用のワイヤレスセンサに限らず、他の全ての防犯システム用のワイヤレスセンサにも適用できる。
【図面の簡単な説明】
【００２５】
【図１】本発明に係わるワイヤレスセンサの一実施形態を示すブロック図
【図２】同その運用形態の説明図
【図３】同動作の一例を示すフローチャート
【図４】同そのタイミングチャート
【図５】従来のワイヤレスセンサの動作を示すタイミングチャート
【符号の説明】
【００２６】
１・・・ワイヤレスセンサ、２・・・制御手段、３・・・センサ部、４・・・センサ信号処理手段、５・・・無線送信ユニット、５ａ・・・アンテナ、６・・・電池、７・・・コントローラ、８・・・アンテナ、９・・・ベル、１０・・・通報回線。
【図１】
2008123146.tif 000003
【図２】
2008123146.tif 000004
【図３】
2008123146.tif 000005
【図４】
2008123146.tif 000006
【図５】
2008123146.tif 000007